(57)【要約】      （修正有）【課題】熱放射部分を分散させて良好な放熱性を保証し、均一な平面光源が発生し、デザインの良い外観を提供するランプ装置を提供する。【解決手段】ランプ装置１０は、全体的に羽を有する動物又は事物を示し、上面部に熱放射のための複数の放熱フィンを備えるハウジング１０２と、ハウジングの下部に設けられ、照明光を発生させる複数の発光ダイオード(ＬＥＤ)１０８ａ等を備えるＬＥＤ基板１０８と、ＬＥＤ基板で発生された照明光を通すように透明又は半透明材質で構成され、ＬＥＤ基板の下部でハウジングと係合するように設けられ、ＬＥＤ基板を保護するカバーとを含む。【選択図】図５
0003154164.tif 000002
【実用新案登録請求の範囲】
【請求項１】
全体的に羽を有する動物又は事物を示し、上面部に熱放射のための複数の放熱フィンを備えるハウジングと、
前記ハウジングの下部に設けられ、照明光を発生させる複数の発光ダイオード(ＬＥＤ)を備えるＬＥＤ基板と、
前記ＬＥＤ基板で発生された照明光を通すように透明又は半透明材質で構成され、前記ＬＥＤ基板の下部で前記ハウジングと係合するように設けられ、前記ＬＥＤ基板を保護するカバーと、
を含むことを特徴とするランプ装置。
【請求項２】
前記ＬＥＤ基板における複数のＬＥＤのうち、少なくとも前記全体的な羽の縁部に沿って配列される複数のＬＥＤは、その内部に全体的に配列される複数のＬＥＤによって発生される照明光のメインカラーと異なるカラーの照明光を発生するように構成されることを特徴とする請求項１に記載のランプ装置。
【請求項３】
前記ＬＥＤ基板で前記内部に配列された複数のＬＥＤの一部は、前記メインカラーと異なるカラーの照明光を発生するように構成されることを特徴とする請求項２に記載のランプ装置。
【請求項４】
前記ＬＥＤ基板で複数のＬＥＤのうち、少なくとも前記全体的な羽状の縁部に配列された複数のＬＥＤは、全体的にその内部に配列される複数のＬＥＤによって発生される照明光のメイン輝度と異なる輝度で構成されることを特徴とする請求項１に記載のランプ装置。
【請求項５】
前記ＬＥＤ基板は、少なくとも前記羽部分に対応する範囲を有するように設けられることを特徴とする請求項１に記載のランプ装置。
【請求項６】
前記ハウジングの羽部分は回転可能であることを特徴とする請求項５に記載のランプ装置。
【請求項７】
前記ランプ装置は、球形又は多角形の構造を通じてランプ装置用主柱の上部に設けられることを特徴とする請求項２に記載のランプ装置。
【請求項８】
前記球形又は多角形の構造は、側面部が透明又は半透明材質で構成され、その内部には別途の照明を追加して備えることを特徴とする請求項７に記載のランプ装置。
【請求項９】
前記球形又は多角形の構造は、内部に周辺地域を撮影する監視カメラが設けられることを特徴とする請求項７に記載のランプ装置。
【請求項１０】
相互に当接する前記ハウジングの側面の内周面と前記カバーの側面との間に設けられ、外部から前記ＬＥＤ基板を密封するためのガスケットをさらに備えることを特徴とする請求項１乃至９のいずれか１項に記載のランプ装置。
【請求項１１】
前記ランプ装置を上部に設けるランプ装置用主柱は、
全体的に柱形状を有し、
前記柱形状の上側部に形成されてアンテナ装置を形成するアンテナ設置部と、
前記柱形状の下側部に形成されて該当柱形状のランプ装置用主柱が地盤に固定設置される支持部とを含んでおり、
前記アンテナ設置部は、少なくとも外観の一部が送受信無線信号を通過させる材質で構成され、前記支持部は、外観が地盤で縦に長く立てられるように地盤支持部材が下側部に形成されることを特徴とする請求項１乃至９のいずれか１項に記載のランプ装置。
【請求項１２】
前記構造は、蝶、鴎、トンボ、鷲形状のうちいずれか一つであることを特徴とする請求項１乃至９のいずれか１項に記載のランプ装置。
【請求項１３】
前記構造は鳥を表し、前記ＬＥＤ基板は、前記鳥を表す構造の頭部又は尾部にも設けられることを特徴とする請求項１に記載のランプ装置。
【請求項１４】
前記鳥を表す構造の頭部は、外部形態が鳥の頭に似るように形成されると同時に透明又は半透明材質で構成され、頭部が結合されるハウジングには別途のＬＥＤを追加的に備え、該当頭部を別途に照明する構造を有することを特徴とする請求項１３に記載のランプ装置。
【請求項１５】
前記鳥を表す構造を有するランプ装置は、球形又は多角形の構造を通じてランプ装置用主柱の上部に形成されることを特徴とする請求項１３に記載のランプ装置。
【請求項１６】
前記球形又は多角形の構造は、側面部が透明又は半透明材質で構成され、その内部には別途の照明を追加的に備えることを特徴とする請求項１５に記載のランプ装置。
【請求項１７】
前記球形又は多角形の構造は、内部に周辺地域を撮影する監視カメラが設けられることを特徴とする請求項１５に記載のランプ装置。
【請求項１８】
前記ランプ装置を上部に設けるランプ用主柱は、
全体的に柱形状を有し、
前記柱形状の上側部に形成されてアンテナ装置を形成するアンテナ設置部と、
前記柱形状の下側部に形成されて該当柱形状のランプ装置用主柱が地盤に固定設置される支持部と、
を含んでおり、
前記アンテナ設置部は、少なくとも外観の一部が送受信無線信号を通過させる材質で構成され、前記支持部は、外観が地盤で縦に長く立てられるように地盤支持部材が下側部に形成されることを特徴とする請求項１３乃至１７のいずれか１項に記載のランプ装置。
【考案の詳細な説明】
【技術分野】
【０００１】
本考案は、ＬＥＤ(Light  Emitting  Diode)を光源として使用するランプ装置(lamp  device)構造に関するもので、特に熱放射部分を分散させて良好な放熱性を保証し、均一な平面光源が発生し、デザインの良い外観を提供するランプ装置の構造に関する。
【背景技術】
【０００２】
一般的に、屋外目的に使用されるランプ装置、主に街灯は、商用電力(commercial  power)を用いて街灯柱に高く設けられたランプ装置を点灯又は消灯することによって、夜間又は降雨時にその周辺地域を照明するために使用される。この街灯は、道路の側面に設置されて夜間に道路を照明するための道路用ランプ、狭い道に設置されて照明及び犯罪防止のための防犯用ランプ、及び公園又は庭に設置されて照明だけでなく装飾のための装飾用ランプのような様々なタイプを有する。
【０００３】
ランプ装置は、高圧水銀灯、蛍光灯、ナトリウム灯のような多様な光源が使用される。最近では、発熱量及び製品寿命に関する問題を克服するために、低い電力、低い発熱量、及び高い照度が得られるＬＥＤを用いる街灯が増加している傾向にある。
【０００４】
通常は、該当光源に電源を供給するために、その内側に安定器と共に、漏電遮断器、電源制御器などが設けられる。電源制御器は、タイマと照度感知センサなどを備えており、夜間時に一定の照度以上に発光するように光源に供給される電源を制御する。
【０００５】
従来のＬＥＤを用いるランプ装置は、一般的に一定の狭い空間のハウジングに光源を集中配置する構造である。このランプ装置は、狭い空間に光源が集中されるため、眩しさがひどく、均一な平面光源を得ることが難しかった。また、多くの熱が発生することによって、これを放熱させるための別途の放熱部が必要であった。
【０００６】
多くの場合、この放熱部のサイズがランプ装置のサイズより大きく、その様子や外観が良くないという問題点があった。
【０００７】
なお、街灯の役割以外の他の機能を有するように活用するのに限界があった。
【０００８】
一方、一般的に無線通信システムにおいて、送受信装置(中継器を含み）は、無線端末機との接続を集めて交換網に送る役割をするものであって、その本体内に位置した高出力増幅器を通じて送信しようとする信号を増幅した後に、アンテナ装置に上記送信信号を伝送し、アンテナ装置を通じて送信信号を放射する。また、アンテナ装置は、無線端末機から伝送された信号を受信し、無線通信用送受信装置に伝送して信号処理を遂行する。このとき、アンテナ装置は、サービス目的に建物の屋上又はタワーなどの高い位置に設けられ、無線通信用送受信装置は建物の屋内又はタワー下部の地上に設けられる。
【０００９】
このように、無線通信システムのアンテナ装置は、無線信号の電波到達距離を最大限に延長するために高く設置するが、通常に、都市地域では建物の屋上に柱を立てて装着し、その柱の上側には固定部を装着し、その固定部に通信用アンテナを装着することが普遍的である。
【００１０】
無線通信システムにおいて、アンテナ装置は、円滑な無線通信の提供のために適切な位置にアンテナ装備が設置されなければならないにもかかわらず、周辺環境の景観を損なう施設である忌避施設として認識されることによって、設置場所の確保が難しい実情である。
【００１１】
特に、無線通信の使用頻度が高い都市地域の場合には、高いコストによる施設用地の取得に困難さがあるという問題点があった。
【００１２】
監視カメラは、非常に嫌う施設であるので、設置が一層難しい実情である。
【００１３】
一方、都市地域などでは距離を照明するための街灯及び犯罪防止のための防犯用カメラなどが別途の柱に各々取り付けられている。しかしながら、アンテナ装置、街灯、及び防犯用カメラは、柱に設置されなければならず、共通的に電源及び通信機能が必要であるにもかかわらず、それぞれ別途の柱に設置されているため、都市には多少浪費をもたらし、複数の柱が存在するので外観上良くないという問題もあった。
【考案の概要】
【考案が解決しようとする課題】
【００１４】
したがって、本考案の目的は、第１に、均一の平面光源を発生させることによって眩しさが少ないランプ装置を提供することにある。
【００１５】
第２に、放熱効果に優れたランプ装置を提供することにある。
【００１６】
第３に、美観上優れて環境にやさしいランプ装置を提供することにある。
【００１７】
第４に、光の照射角度を可変させることができるランプ装置を提供することにある。
【００１８】
第５に、街灯を道路名称に活用できるランプ装置を提供することにある。
【００１９】
第６に、街灯を機関や団体又は会社の象徴物として活用可能にするランプ装置を提供することにある。
【００２０】
第７に、無線通信用アンテナ装置及び監視用カメラなどを見せないように偽装して環境にやさしいランプ装置を提供することにある。
【課題を解決するための手段】
【００２１】
上記のような目的を達成するために、本考案によるランプ装置は、全体的に羽を有する動物又は事物を示し、上面部に熱放射のための複数の放熱フィンを備えるハウジングと、ハウジングの下部に設けられ、照明光を発生させる複数の発光ダイオード(ＬＥＤ)を備えるＬＥＤ基板と、ＬＥＤ基板で発生された照明光を通すように透明又は半透明材質で構成され、ＬＥＤ基板の下部でハウジングと係合するように設けられ、ＬＥＤ基板を保護するカバーとを含む。
【考案の効果】
【００２２】
本考案によるランプ装置は、光源を平面の広い面積に分散配置することによって、熱放射部分を分散させる構造であるため、放熱性に優れ、均一な平面光源を発生させて眩しさが少ない効果を有する。
【００２３】
また、本考案は、光源が配置される平面ハウジングの一面を放熱フィンが形成された構造であって、これを放熱部として活用することによって別途の放熱部を備えることなくても優れた放熱性を有する効果がある。
【００２４】
さらに、本考案は、光源が配置される平面ハウジングを人になじんでいる動物又は昆虫の羽形状にデザインすることによって環境にやさしく、外観上美しい効果を有する。
【００２５】
本考案は、羽形状の外周面に配列される複数のＬＥＤが、その内側に配列される複数のＬＥＤによって発生される照明光と異なる輝度又は異なるカラーを有するように構成することで、ランプ装置の形状が外観上明確に区別されることができる効果を有する。
【００２６】
また、本考案は、ハウジングが羽形状にデザインされて羽の角度を調整することによって、光の照射角度を可変させる効果を有する。
【００２７】
なお、本考案は、道路名称を蝶街灯道のようにすることで特定地域に独自性(identity)を付与できる効果を有する。
【００２８】
さらに、本考案は、機関や団体又は会社の象徴図案が蝶である場合に、該当機関や団体又は会社の前に蝶形状の街灯を設けることによって会社の象徴物として活用できる効果を有する。
【００２９】
そして、本考案は、無線通信用アンテナ装置及び監視用カメラなどを見せないように偽装できることによって設置時の拒否感を低減させる効果を有する。
【図面の簡単な説明】
【００３０】
【図１】本考案の第１の実施形態によるランプ装置を示す外観斜視図である。
【図２】図１のランプ装置を示す正面図である。
【図３】図１のランプ装置を示す左側面図である。
【図４】図３の線Ａ-Ａ'に沿ったランプ装置の断面図である。
【図５】図１のランプ装置の底部を示す構造図である。
【図６】図１のランプ装置用主柱に対する設置例示図である。
【図７】本考案の第２の実施形態によるランプ装置の外観斜視図である。
【図８】図７のランプ装置を示す正面図である。
【図９】図７のランプ装置を示す背面図である。
【図１０】図７のランプ装置を示す左側面図である。
【図１１】図７のランプ装置を示す底面構造図である。
【図１２】図７のランプ装置用主柱に対する設置例示図である。
【図１３】図１２の正面図である。
【図１４】図６又は図１２のランプ装置用主柱の概略的な外観斜視図である。
【図１５】本考案の第３の実施形態によるランプ装置を示す斜視図である。
【図１６】図１５の底面構造図である。
【図１７】本考案の第４の実施形態によるランプ装置を示す斜視図である。
【図１８】図１７のランプ装置を示す底面構造図である。
【考案を実施するための形態】
【００３１】
以下、本考案による望ましい実施形態を添付の図面を参照して詳細に説明する。
【００３２】
図１は本考案の第１の実施形態によるランプ装置を示す斜視図で、図２は図１による正面図で、図３は図１による左側面図で、図４は図３の線Ａ-Ａ'に沿った断面図で、図５は図１による底面構造図で、図６は図１の主柱に対する設置例示図である。
【００３３】
図１乃至図６を参照すると、本考案の第１の実施形態によるランプ装置１０は、平面的に少なくとも一対の羽形状を有し、上面部に熱放射のための複数の放熱フィン１０２ａを備えるハウジング１０２を含む。このとき、ハウジング１０２は、上面部の縁部に沿って伸びる側面部を有することができる。
【００３４】
ＬＥＤ基板１０８は、ハウジング１０２の下面部に設置され、全体的に羽形状を有するように配列され、照明光を発生させる複数のＬＥＤを備える(図４を参照)。
【００３５】
カバー１０４は、ＬＥＤ基板１０８で発生された照明光の透過を通すように透明又は半透明材質で構成され、ＬＥＤ基板１０８の下部でハウジング１０２と係合するように設けられ、ＬＥＤ基板１０８を保護する。このカバー１０４は、ＬＥＤ基板１０８からの照明光をより拡散させるための拡散構造などを備えることもできる。
【００３６】
このとき、図４に示すように、ガスケット１０６は、外部からＬＥＤ基板１０８を密封するために、ハウジング１０２の側面部の内周面とカバー１０４との間に設けられることができる。また、密封及びカバー１０４の固定は、設置されたカバー１０４とハウジング１０８の側面部との空間に別途の封止剤を追加的に注入することによってより強くなされる。その他にも、カバー１０４とハウジング１０８との係合構造は、ガスケット１０６を具備せずにカバー１０４とハウジング１０２が係合される構造を有するなど、多様な方法でなされる。このように完成されたランプ装置１０は、図６に示すように、ランプ装置用主柱１の上部に適切な形状の接続部材を通じて設置されて道路などを照明するようになる。
【００３７】
図１乃至図６に示すように、本考案によるハウジング１０２(及びこれを含んだランプ装置全体)は、蝶形状で構成され、平面的に羽形状を有する。
【００３８】
その理由は、放熱効果を良くするためには、発熱の主体である光源を分散配置させなければならず、光源を分散配置するためには広い面積のハウジングが必要であるためである。このとき、単に面積のみが広いハウジングは、外観上良くないため、人になじんでおり、かつ美観上美しい面積の形状で動物や昆虫、又は事物の羽形状に形成される。
【００３９】
このように本考案では、ハウジング１０２を羽形状を持つようにすることで、光源を広い間隔で配列し、発熱部分を分散させることによって、熱放射が高く、また光源を分散配置することによって、均一な平面光源が得られ、眩しさを低減させる。
【００４０】
そして、ハウジング１０２の上面には、複数の放熱フィン１０２ａを形成して放熱板として活用でき、それによって、別途の放熱部を具備しなくても放熱効果を一層向上させる。
【００４１】
羽形状のハウジングは、放熱性に優れ、均一な平面光源による眩しさが少なく、同時に美観上にも美しいので、従来技術の問題点を一度に解決できる形状である。ここで、羽形状の構造は、各々回転自在に構成され、別途の駆動機構などを備えて追加的に羽の角度を調節可能なように構成することができる。その場合に、上記構造は、照明光の照射角度を任意に可変させることもできる。
【００４２】
一方、従来の街灯の中でも、任意の形状の造形物を追加設置して優れた形状を有するようにしたり、該当造形物を通じて情報を提供する技術があった。例えば、該当都市の特徴を代表する動植物などの形状を街灯に加えてさらに設置することができる。
【００４３】
しかしながら、このような従来の街灯にいかなる形状の造形物をさらに設置する構造は、元の街灯のランプ構造とともに別途の追加的な造形物を設置しなければならないため、設置作業が面倒で、追加的なコストが要求される。
【００４４】
また、該当造形物は、通常に、街灯のランプ装置の上側又は下側で街灯の主柱に設置可能であるが、その上側に設置される場合には、ランプ装置の照明が照射されないので、夜間時にその形状を明確に確認することが難しく、下側に設置される場合にはランプ装置の照明に妨害を与えるようになる。
【００４５】
これに比べて、本考案によるランプ装置１０は、それ自体だけで美観上優れた造形物の形状を有しているので、上記のように従来の街灯に造形物を設置する場合に引き起こされる問題点を解決可能になる。
【００４６】
このとき、本考案の第１の実施形態によるランプ装置１０は、蝶形状を有するように構成され、それ以外にも羽形状を有する他の昆虫又は鳥などの動物形状、加えて天使又は飛行機などの事物形状を有することもできる。
【００４７】
一方、図５では、ＬＥＤ基板１０８に配列される複数のＬＥＤに対する本考案の他の特徴的な構造をより詳細に示している。ＬＥＤ基板１０８に配列される複数のＬＥＤのうち少なくとも全体的な羽形状の縁部に配列された複数のＬＥＤ１０８ａは、その内側に配列される複数のＬＥＤによって発生される照明光のメインカラーと異なるカラーを有するように構成される。
【００４８】
例えば、ＬＥＤ基板１０８は照明光のメインカラーを白色で構成し、このとき、羽形状の縁部に配列されるＬＥＤ１０８ａは赤色で構成し、その内側に配列される残りのＬＥＤ(その一部は、その他のカラーを持つことができる)は、全体的にメインカラーである白色を発生するように構成する。
【００４９】
または、ＬＥＤ基板１０８に配列される複数のＬＥＤのうち少なくとも全体的な羽形状の外周面に配列された複数のＬＥＤ１０８ａは、その内側に配列される複数のＬＥＤによって発生される照明光の輝度と異なる輝度(例えば、より明るい輝度)を有するように構成する。
【００５０】
このように構成することによって、本考案によるランプ装置１０の形状の外観が明確に区別されることができ、それによって可視性が向上され、外観上一層優れるようになる。
【００５１】
一方、街灯は、道路に相当に多く設置されているが、道路の名称は一般的に街灯とは関係なく、人為的に付けられた名称が使用されている。
【００５２】
したがって、運転手や歩行者の場合には、本人がどの位置にいるかを道路名が記載されている表示板などを通じて確認しなければならない。しかしながら、このような名称が記載された表示板は、表示板自体だけでも確認しにくい場合があり、その名称が文字からなっているため、正確な確認のためには一定距離以上近接しなければ確認できない。また、上記の理由で、その名称の確認が容易でないという短所があった。しかも、夜間の場合には、表示板の文字を一層識別しにくくなる。
【００５３】
しかしながら、本考案による街灯は、容易に区別可能な造形物、例えば“蝶”形状に製造し、その造形物の名称を道路の名称として使用すれば、すなわち“蝶街灯道”と名づければ、道路ごとに独自性を有する効果がある。そして、蝶のような形状は、文字でないため、比較的遠い距離でも確認が可能である。また、形状の外周面には異なるカラーの照明が発生するため、夜間にも容易に識別できる効果がある。
【００５４】
一般的に、機関や団体又は会社ごとに特定の図案を作って象徴物として活用しているが、例えば鳥の形状、その中でも鷲形状を象徴物とする機関の場合には、その機関の前に鷲形状の街灯を設置することで、街灯の役割だけでなく機関の象徴物としても活用できる効果を有する。
【００５５】
図７は、本考案の第２の実施形態によるランプ装置の斜視図で、図８は図７による正面図で、図９は図７による背面図で、図１０は図７による左側面図で、図１１は図７による底面構造図で、図１２は図７のランプ装置用主柱に対する設置例示図で、図１３は図１２による正面図である。
【００５６】
図７乃至１３を参照すると、本考案の第２の実施形態によるランプ装置２０は、図１乃至図６に示した第１の実施形態の構造と同様に、一対の羽形状を有し、上面部に熱放射のための複数の放熱フィン２０２ａを備えるハウジング２０２と、ハウジング２０２の下部に設けられるＬＥＤ基板２０８と、このＬＥＤ基板２０８を保護するカバーとを含む。
【００５７】
図７乃至図１３に示す本考案の第２の実施形態によるランプ装置２０は、図１乃至図６に示した構成とは異なって、ハウジング２０２(及びこれを含んだランプ装置全体)は、蝶形状でなく、鳥(例えば、図７の鷲)形状を有するように構成される。
【００５８】
このような鳥形状を有する第２の実施形態によるランプ装置２０は、鳥形状の羽部分だけでなく、尾部分にもＬＥＤを備えることができる。
【００５９】
また、頭部分は、外部形態が鳥の頭に似るように形成されると共に透明又は半透明材質で構成される。このような鳥形状の頭部分の内部には、別途のＬＥＤを追加構成して頭部分を別途に照明する構造を有することができる。
【００６０】
一方、鳥形状を有する第２の実施形態によるランプ装置２０でも、上記図１乃至図６に示した第１の実施形態の構造と同様に、鳥の羽形状(又は尾形状)で縁部に配列される複数のＬＥＤは、その内側に配列される複数のＬＥＤによって発生される照明光のメインカラーと異なるカラーを有するように構成できる。
【００６１】
このように完成された本考案の第２の実施形態によるランプ装置２０は、ランプ装置用主柱の上部に適切な接続部材を通じて結合されて道路などを照明する。
【００６２】
一方、第１の実施形態及び第２の実施形態によるランプ装置は、図１２及び図１３に示すように、ランプ装置用主柱１の上部に別途に設置される様々な形態の造形物、例えば球形の造形物２２を通じて設置されて道路などを照明するようになる。このような球形の造形物２２は、上側及び下側面に金属又は強化プラスチック素材を用いて下側のランプ装置用主柱１に固定設置されると共に、上側の鳥形状のランプ装置２０の脚部分と固定されるように付着され、それによってランプ装置２０を支持する役割をする。
【００６３】
また、このような球形の造形物２２は、側面部が透明又は半透明材質で構成され、その内部には別途の照明用ＬＥＤを追加して備える構造を有する。
【００６４】
例えば、球形の造形物２２の内部に備えられる照明用ＬＥＤは、全体的に七角形柱をなすように設けられ、七角形柱の各面に設けられるＬＥＤは、相互に異なるカラー(例えば、７個の虹色）を発生させるように実現できる。
【００６５】
このとき、球形の造形物２２の内部にはＬＥＤを備えることでなく、周辺地域を撮影する監視カメラが設置されることもできる。また、このような球形の造形物２２は、その上側に付着される鳥形状のランプ装置２０に(脚部分の形状内部を通じて)動作電源を提供するためのケーブルが配置される構造を有することが好ましく、この鳥形状のランプ装置２０の付属モジュールとして製造され得る。
【００６６】
この球形の造形物２２は、四角柱、円柱の形状のような多様な形態の造形物で製造することができる。
【００６７】
図１４は、図６又は図１２のランプ装置用主柱の概略的な外観斜視図である。図１４を参照して、本考案によるランプ装置用主柱１の構成をより詳細に説明すると、全体的に柱形状のランプ装置用主柱１は、その内部に無線通信システムに使用されるアンテナ装置１１２を備える。
【００６８】
このために、ランプ装置用主柱１は、該当柱形態の上側部に形成されるアンテナ装置１１２を設けるためのアンテナ設置部１１と、柱形態の下側部に形成される該当柱形態のアンテナ装置が地盤に固定されるように設けるための支持部１２に区分されることができる。
【００６９】
アンテナ設置部１１の外観のうち少なくとも一部は、無線信号の送受信を妨害しない材質で構成され得る。例えば、対応する部分が通常のアンテナ装置のレードーム(radome)と同一の材質であるＦＲＰ(Fiber  Reinforced  Plastic)、ＡＳＡ(Acrylonitrile  Styrene  Acrylate)、ＰＶＣ(Poly  Vinyl  Chloride)のようなプラスチック材質で構成されることができる。
【００７０】
支持部１２の外観は、金属製又はＦＲＰなどの材質で構成され、地盤で縦に長く立てられるように地盤支持部材１２２が下側部に形成される。地盤支持部材１２２は、地盤に予め形成されたコンクリート基盤のアンカーボルト(図示せず)に挟まれることができる孔構造が適所に形成された構造を有する。
【００７１】
このような地盤支持部材１２２を有する柱形態の支持部１２の外観形態は、電信柱や街灯柱の外観と同様である。また、このような支持部１２の外観内部には該当アンテナ装置１１２の動作を全般的に制御するための制御モジュール１３０が備えられることができる。
【００７２】
本考案によるランプ装置用主柱１のアンテナ設置部１１と支持部１２は、別途に製造されて結合される構造を有するが、全体的な外観は一つの柱形状を有する。すなわち、本考案によるランプ装置用主柱１は、通常の柱に類似した形状の柱を備え、その内部に無線通信システム用アンテナを内蔵した形態と見なすことができる。
【００７３】
一方、無線通信用送受信装置は、従来技術と同様に、別途の場所に設置されて本考案によるランプ装置用主柱１に接続される構造を有する。あるいは、本考案の他の実施形態により、柱形状のランプ装置用主柱１の内部、例えば支持部１２の内部に収容されるように設置されることができる。このとき、無線通信用送受信装置は、破損及び浸水による損傷により安全に対応するように柱形状の支持部１２の内部で上部に設置されることができる。
【００７４】
このように、無線通信用送受信装置が、柱形態のランプ装置用主柱１の内部に設置される場合には、アンテナ装置と無線通信用送受信装置との間の距離が近くて信号損失を減少させることができる。
【００７５】
このように、ランプ装置２０を備えるランプ装置用主柱１の内部にアンテナ装置１１２が設置される場合に、アンテナ装置１１２は、外観上既存の街灯形態を有しているため、従来の無線通信システムのアンテナ装置に比べて拒否感がなく、親近感を与えることができ、周辺環境と調和をなすことができる。
【００７６】
また、球形の造形物２２の内部に監視カメラが追加的に設置でき、監視カメラも外部から見せないようにし、環境に優しいように設置されることができ、同様に拒否感がなく、周辺環境と調和をなすことができる。すなわち、従来のアンテナ装置や監視カメラなどは、円滑な無線通信の提供及び監視のために適正な位置に設置されなければならないにもかかわらず、周辺環境の景観を損なうという理由で該当アンテナ装備の設置を忌避し、監視用カメラの場合には一層忌避して設置場所の確保が難しい実情であった。
【００７７】
さらに、上記装置は、都市などでは距離を照明するための街灯及び犯罪防止のための防犯用カメラなどが別途の柱にそれぞれ設置されている実情であるため、現在の都市には外観上にも良くなく、浪費をもたらす複数の柱が存在する。
【００７８】
これに対して、本考案によるランプ装置は、無線通信用アンテナ及び監視用カメラを見せないように偽装できるだけでなく、外観上美しい形状であるため、上記した従来技術の問題点を解決し、設置時の拒否感を低下させることができる。
【００７９】
また、本考案によるランプ装置用主柱１は、該当アンテナ装置１１２自体を内蔵しつつ、そのまま地盤に設置できる構造であるため、都市周辺や農村地域をはじめとして平地で該当アンテナ装置を設置する場合に作業が非常に容易になる。また、設置用地の確保が容易で、既存の街灯が設置された地域に代替して設置できるため、使用電源の確保が容易で、さらに通信ケーブルとの接続も容易である。
【００８０】
その他にも、本考案の他の実施形態によるランプ装置用主柱１は、その柱に動き感知センサ、気象感知センサ、及び照度感知センサなどを備える感知センサモジュールを追加的に設置し、該当地域の状況を感知することで、周辺地域の監視機能をさらに有することができる。
【００８１】
上記のように、本考案の実施形態によるランプ装置が構成されることができ、本考案の説明では具体的な実施形態に関して説明したが、本考案の範囲を外れない限り、多様な変形が実施できることはもちろんである。例えば、上記の実施形態では、本考案によるランプ装置が、蝶又は鳥(鷲)形状であることを例に挙げたが、それ以外にも羽形状を有する多様な動物又は事物の形状も可能であり、その形状で監視カメラなどを偽装して設置されることもできる。例えば、本考案の他の実施形態では、ランプ装置の形態がトンボ形状を有するように構成でき、このとき、トンボ形状の頭部に監視カメラが装着される構造も有することができる。
【００８２】
図１５及び図１６は、各々本考案の第３の実施形態によるランプ装置の斜視図及び底面構造図である。図１５及び図１６に示すように、本考案の第３の実施形態によるランプ装置３０は、トンボ形状を有する。このとき、トンボ形状の頭部には監視カメラが装着されることができる。
【００８３】
図１７及び図１８は、各々本考案の第４の実施形態によるランプ装置の斜視図及び底面構造図である。図１７及び図１８に示すように、本考案の第４の実施形態によるランプ装置４０は、鴎形状を有する。このように、本考案によるランプ装置は羽形状を有する多様な動物又は事物の形状で構成可能である。
【００８４】
また、上記した実施形態では、図１２及び図１３に示すように、球形の造形物２２が本考案の第２の実施形態に適用されることを説明したが、このような球形の造形物２２は、図１乃至図６及び図１５乃至図１８に示すように、第１、第３、及び第４の実施形態でもランプ装置の下部及びランプ装置用主柱１の上部に設置されることができる。このとき、その形状は、球形だけでなくつぼみのような多様な形状でも実現できる。
【００８５】
上記の説明では、本考案によるランプ装置が主に街灯のように屋外用として使用されることを例に挙げたが、屋内用としても十分に使用されることはもちろんである。
【００８６】
以上、本考案を具体的な実施形態に関して図示及び説明したが、添付した特許請求の範囲により規定されるような本考案の精神及び範囲を外れることなく、形式や細部の様々な変更が可能であることは、当該技術分野における通常の知識を持つ者には明らかである。
【図１】
0003154164.tif 000003
【図２】
0003154164.tif 000004
【図３】
0003154164.tif 000005
【図４】
0003154164.tif 000006
【図５】
0003154164.tif 000007
【図６】
0003154164.tif 000008
【図７】
0003154164.tif 000009
【図８】
0003154164.tif 000010
【図９】
0003154164.tif 000011
【図１０】
0003154164.tif 000012
【図１１】
0003154164.tif 000013
【図１２】
0003154164.tif 000014
【図１３】
0003154164.tif 000015
【図１４】
0003154164.tif 000016
【図１５】
0003154164.tif 000017
【図１６】
0003154164.tif 000018
【図１７】
0003154164.tif 000019
【図１８】
0003154164.tif 000020